(57)【要約】【課題】インクタンクが交換された場合、ホストコンピュータから指定されたメールアドレスに対してインクタンク交換の通知とインク消費量とインクタンク交換時期を知らせることを目的とする。【解決手段】外部装置からコマンドを受信する受信手段とコマンドを解析する解析手段とインクタンク交換履歴を蓄積する蓄積手段とインクタンク交換時の通知が指定されていた場合、電子メールの本文にインク消費量とインクタンク交換時期を示すメッセージを作成するメッセージ作成手段と作成されたメッセージを電子メールで通知する送信手段を備えたインクジェット記録装置。【選択図】        図１
2004195812.tif 000002
【特許請求の範囲】
【請求項１】
ネットワークに接続されたインクジェット方式のプリンタにおいてインクタンク交換の実行結果をインク交換履歴情報として蓄積する蓄積手段とメールアドレスを入力する入力手段と、
インク交換履歴情報の通知メッセージを電子メールとして作成する電子メール作成手段と、
この電子メールを入力手段により入力された宛先に対して送信する送信手段とを有することを特長とするインクジェットプリンタ。
【請求項２】
前記電子メール作成手段および送信手段はインクタンクが交換された時点で処理が開始されるようにしたことを特長とする請求工１に記載のインクジェットプリンタ。
【発明の詳細な説明】
【０００１】
【発明の属する技術分野】
本発明は、ネットワークに接続されたインクジェット記録方式のネットワークプリンタ関する。
【０００２】
【従来の技術】
従来から、ネットワークに接続されたインクジェット記録装置のインクが残りわずかになった場合やインクが無くなった場合にプリンタの管理者やユーザに対してエラーを通知する機能があった。しかし当該プリンタでインクが交換されたことを通知する機能やインクタンク交換情報を記録し、プリンタの管理者に通知する機能がなく、またインクタンクの消費量を予想する手段がなかった。
【０００３】
【発明が解決しようとする課題】
本発明は、プリンタの管理者にインクタンク交換履歴情報をしらせて確認を促し、インクタンクの交換時期を予想しインクタンクの消費量を通知することができるインクジェット記録方式のプリンタを提供することを目的とする。
【０００４】
【課題を解決するための手段】
上記目的を達成するために、請求項１記載のインクジェット記録装置は、インクタンクの交換履歴の情報を蓄積する蓄積手段と、管理者に対応するメールアドレスを入力する入力主意弾と、インク交換履歴を電子メールとして作成する電子メール作成手段と、この電子メールを入力手段により入力された管理情報を用いて宛先に送信する送信手段とを有することを特長とする。
【０００５】
【発明の実施の形態】
以下、図面を参照して本発明の実施の形態に係るインクジェット記録装置を説明する。
【０００６】
図１は、本発明の実施の形態に係るインクジェット記録装置が接続されたネットワークシステムの構成を示す構成図である。
【０００７】
図１において、ネットワークの一例であるローカルエリアネットワーク（ＬＡＮ）１００には、ノートパソコン１０１，デスクトップパソコン１０２、ワークステーション１０３などのホストコンピュータや本発明のインクジェット記録装置１０４が接続されている。
【０００８】
図２は本実施例のインクジェット記録装置１０４の機械的な構成を示している。
【０００９】
図２において、キャリッジモータ５１３の正逆回転に連動して駆動力伝達ギア５１１，５０９を介してリードスクリュー５０４が回転し、スクリュー５０４の螺旋溝５０５に係合する図示しないピンを有するヘッドキャリッジ５３０が矢印ａ，ｂ方向に往復移動される。このキャリッジ５３０には、インクジェットカートリッジ５３１が搭載されている。このカートリッジは記録ヘッド（インクジェットヘッド）５３２とインクタンク５３３を一体化したものである。
【００１０】
５０２は紙押え板であり、キャリッジ移動方向にわたって記録用紙Ｐをプラテン５４０に対して押圧する。プラテン５４０は紙送りモータ５４１により回転し、これにより記録用紙Ｐが垂直方向に送られる。ヘッドキャリッジ５３０がａ，ｂ方向に移動しながら記録ヘッド５３２が駆動されインク滴を吐出することにより、記録用紙Ｐにインク滴が付着し、ドット記録がなされる。
【００１１】
５０７，５０８はフォトカプラで、キャリッジ５３０のレバー５０６の存在を碓認して、キャリッジモータ５１３の回転方向切り換え等を行うためのホームポジション検知手段として機能する。５１６は記録ヘッド５３２の前面をキャップするキャップ部材５２２を支持する部材である。
【００１２】
５１５は吸引手段であり、記録ヘッド５３２の正常なインク吐出状態を回復するために、キャップ部材５２２の開口５２３を介して記録ヘッド５３２からのインク吸引を行なう。
【００１３】
５１７は記録ヘッド５３２前面のクリーニングを行なうクリーニングブレードで、部材５１９により前後方向に移動可能とされる。５１８は本体支持板で、クリーニングブレード５１７、部材５１９を支持する。
【００１４】
５２１は、吸引手段５１５の吸引を開始するためのレバーで、キャリッジ５３０と係合するカム５２０の移動に伴って移動し、これによりキャリッジモータ５１３からの駆動力がクラッチの切り換え等で吸引手段５１５に伝達され、吸引が行なわれる。
【００１５】
これらのキャッピング、クリーニング、吸引回復は、キャリッジ５３０がホームポジション領域に来たときにリードスクリュー５０４の作用によってそれぞれの対応位置でそれぞれの処理が行なわれるように構成されている。
【００１６】
図３は、インクジェット記録装置１０４の制御系の構成を説明するブロック図である。
【００１７】
図３において、３００はネットワーク（LAN）とのインターフェースを行なうインターフェース部であり、図示しない接続ケーブルあるいはネットワークのＨＵＢ等を介してパソコンやワークステーション等のホストコンピュータから記録データや制御データの信号の入出力を行う。
【００１８】
３０１は装置全体を制御するＭＰＵ、３０２はＭＰＵ３０１が実行する制御プログラムのデータや他の必要な固定データを格納するＲＯＭ、３０３はＤＲＡＭで、各種データを記憶する。
【００１９】
３０４は、記録ヘッド５３２を駆動するヘッドドライバ３０５に対する出力データの供給制御を行うゲートアレイで、インタフェース部３００，ＭＰＵ３０１，ＤＲＡＭ３０３間のデータの転送制御も行なう。
【００２０】
３０６は、先述の記録用紙Ｐを送る紙送りモータ５４１を駆動するモータドライバ、３０７はキャリッジモータ５１３を駆動するモータドライバである。
【００２１】
このように構成されたインクジェット記録装置において、インタフェース部３００を介してホストコンピュータから記録データ、制御データが入力されると、ゲートアレイ３０４とＭＰＵ３０１との間で入力データがプリント用の出力データに変換される。そして、モータドライバ３０６，３０７が駆動され、モータ５４１，５１３が駆動されるとともに、ヘッドドライバ３０５に送られた出力データに従って記録ヘッド５３２が駆動され、記録が実行される。
【００２２】
なお、ＭＰＵ３０１はインタフェース３００を介してホストコンピュータとの通信処理が可能となっており、ＤＲＡＭ３０３に関するメモリ情報および資源データ等やＲＯＭ３０２内の印刷情報をホストコンピュータに通知可能に構成されている。
【００２３】
図４は、本実施例によるデスクトップパソコン１０２、ワークステーション１０３などのホストコンピュータの概略構成を示すブロック構成図である。
【００２４】
図４において、４００は、電子メールソフト及びインクタンク交換通知の設定ソフトがインストールされたパソコンまたはワークステーションである。パソコン４００は、ＲＯＭ４０２もしくはハードディスク（ＨＤ）４１１に記憶された、インクタンク交換通知の設定ソフトウェアを実行するＣＰＵ４０１を備え、システムバス４０４に接続される各デバイスを総括的に制御する。
【００２５】
４０３はＲＡＭで、ＣＰＵ４０１の主メモリ、ワークエリア等として機能する。
【００２６】
４０５はキーボードコントローラ（ＫＢＣ）で、キーボード（ＫＢ）４０９やポインティングデバイス等からの指示入力を制御する。４０６はＣＲＴコントローラ（ＣＲＴＣ）で、ＣＲＴディスプレイ（ＣＲＴ）４１０の表示を制御する。
【００２７】
４０７はディスクコントローラ（ＤＫＣ）で、ブートプログラム、種々のアプリケーション、編集ファイル、ユーザファイルそしてネットワーク管理プログラム等を記憶するハードディスク（ＨＤ）４１１のアクセスを制御する。４０８はネットワークインタフェースカード（ＮＩＣ）で、ＬＡＮ４４０を介して、他のネットワーク機器と双方向にデータをやりとりする。
【００２８】
なお、本実施例においては、ＬＡＮ４４０は図１におけるＬＡＮ１００と同じものである。
【００２９】
図５は、ホストコンピュータからインクジェット記録装置１０４に対してインク状態を通知する条件の設定画面の例を示す。
【００３０】
インク状態通知設定画面には、インクの残り容量が少なくなった場合に警告の電子メールを送信するか否かを指定する選択項目とインクが無くなった場合にエラーを通知をするか否かを指定する選択項目とインクタンクが交換された場合に通知するか否かを指定する選択項目がある。メールアドレスには、ユーザや管理者等の宛先を示すアドレスを入力項目がある。
【００３１】
各項目を指定後、設定ボタンを選択すると指定された情報がプリンタに送信される。取消ボタンを選択すると全ての設定を取り消して設定画面を閉じる。
【００３２】
図６はＤＲＡＭ３０３に格納される情報の構成を示している。
【００３３】
インク僅少通知フラグはホストコンピュータから受信したインクタンク交換設定コマンドに指定されているインク僅少通知のフラグの値を格納する。例えば図５の画面においてインク僅少の項目で「通知する」が選択されていた場合、インク僅少通知フラグがＯＮに設定され「通知しない」が選択されていた場合にはＯＦＦが設定される。
【００３４】
インクなし通知フラグは、インク僅少通知フラグと同様にコマンド内のインクなし通知のフラグの値を格納する。
【００３５】
インクタンク交換フラグも同様にコマンド内のインクタンク交換通知フラグの値を格納する。メールアドレスにはインクタンク交換設定コマンドに指定されている電子メールのアドレスが格納される。インクタンクが交換された場合やインクが無くなった場合に本電子メールアドレスを参照し電子メールが指定された宛先に送信される。
【００３６】
最大登録数は、インクタンク交換情報の最大登録可能数が格納される。登録数には現在登録されているインクタンク交換情報の登録数が格納される。カレント番号は、最新のインクタンク情報のエントリー番号を示す。エントリー１〜ｎにはインクタンク交換情報を格納する領域である。
【００３７】
図７は１つのエントリーの詳細フォーマットを示す図で、インクタンクが交換された日時情報と交換されたインクタンクの色を示す交換タンク色がある。
【００３８】
夫々のインクタンクに対して交換されたか否かの情報が格納される。
【００３９】
交換タンク色には、例えば、Ｃ：シアン、Ｍ：マゼンタ、Ｙ：イエロー、Ｋ：ブラックなどのインクタンクの色を示す情報が格納される。
【００４０】
次に各用紙サイズごとに印刷枚数を格納する領域があり、前回インクタンクを交換してから何枚の用紙が印刷されたかを示す。
【００４１】
各用紙サイズの印刷枚数は、印刷が実行された時にページ単位でカウントアップされる。
【００４２】
図８はインクタンクの交換時に生成されるインクタンク交換情報通知のデータフォーマットを示す図である。交換インク色情報には交換されたインクタンクの色を示すデータが格納され、交換日時にはインクタンクが交換された日付と時間の情報が格納される。
【００４３】
経過時間には前回インクタンクが交換された時点からの経過時間が示す値が格納される。印刷枚数情報には用紙サイズごとの印刷枚数が格納される。月平均交換回数には図６のインクタンク交換履歴情報からインク交換回数と経過時間から月単位で平均の交換回数を算出した結果を格納する。
【００４４】
図９は、インクタンク交換時に図５で指定されたメールアドレスが示す宛先に送信する電子メールの本文を示した例である。
【００４５】
まず先頭行に発生した現象の内容が記載される。本実施例ではインクタンクが交換されたことを示すメッセージとして「インクタンクが交換されました。」のメッセージが格納される。
【００４６】
次にインクタンクが交換されたプリンタの名称が記述され、次の行にはプリンタが設置されている場所を示す情報が記載される。次の行には交換されたインクタンクの色を示すメッセージが記載される。
【００４７】
次の行にはインクタンクが交換された日付と時間を示す交換日時が記載される。次の行には前回インクタンクを交換した日時からの経過時間を示すデータが記述される。時間情報には時間をで２４時間（１日）で割った値も記載される。
【００４８】
次の行には各色のインクタンクの月平均交換回数が記載され、本実施例ではイエローインクタンクが月平均で１．１回交換されたことを示す。
【００４９】
次に次回交換予想日に各色のインクタンクがいつ交換しなければならないかを示す予想日が記載する。予想日には図６に示したインクタンク交換履歴情報に記録されている情報から交換予定日を算出した結果が記載される。印刷枚数は各用紙のサイズごとに前回インクタンクが交換されてから印刷された枚数を算出した結果が記載される。
【００５０】
以上が電子メールの本文に記載される情報の一例である。
【００５１】
次に、本発明の実行手順を図１０を用いて詳細に説明する。
【００５２】
Ｓ１００１ではインクジェット記録装置に電源が投入されＤＲＡＭ３０３の初期設定とヘッドの初期化処理を行う。
【００５３】
次にＳ１００２でコマンドの受信やインク交換などのイベントを待つ。次にＳ１００３でイベントの解析を行い、イベントを判定する。イベントがコマンド受信イベントであればＳ１００４に進み、インク交換通知イベントであればＳ１００５に進み、インクなし通知イベントであればＳ１００６に進み、インク僅少通知イベントであればＳ１００７に進み、それ以外のイベントであればＳ１００８に進む。Ｓ１００４ではコマンド受信処理を実行し、Ｓ７０２のイベント待ちに戻る。
【００５４】
Ｓ１００５ではインク交換通知処理を実行し、Ｓ１００２のイベント待ちに戻る。
【００５５】
Ｓ１００６ではインクなし通知処理を実行し、Ｓ１００２のイベント待ちに戻る。
【００５６】
Ｓ１００７ではインク僅少通知処理を実行し、Ｓ１００２のイベント待ちに戻る。
Ｓ１００８ではその他の処理を実行し、Ｓ１００２のイベント待ちに戻る。
【００５７】
次に図１０のＳ１００４のコマンド受信処理について図１１を用いて詳細に説明する。
【００５８】
まずＳ１１０１で受信したコマンドを解析し、ステップＳ１１０２に進む。ステップＳ１１０２ではコマンドを判定し、インク交換設定コマンドであればステップＳ１００４に進む。その他のコマンドであればＳ１００３に進み、
その他の処理を実行し処理を終了する。
【００５９】
次にステップＳ１１０４で受信したコマンドのインクタンク交換通知が「通知する」か「通知しない」かを判定し「通知する」が指定されていればステップＳ１１０５に進み、「通知しない」が指定されていればステップＳ１１０６に進む。
【００６０】
ステップＳ１１０５では図６に示したインクタンク交換通知フラグをＯＮに設定しステップＳ１１０７に進む。ステップＳ１１０６ではインクタンク交換通知フラグをＯＦＦに設定しステップＳ１１０７に進む。
【００６１】
次にステップＳ１１０７で受信したコマンドのインクなし通知が「通知する」か「通知しない」かを判定し「通知する」が指定されていればステップＳ１１０８に進み、「通知しない」が指定されていればステップＳ１１０９に進む。
【００６２】
ステップＳ１１０８では図６に示したインクなし通知フラグをＯＮに設定しステップＳ１１１０に進む。ステップＳ１１０９ではインクなしフラグをＯＦＦに設定しステップＳ１１１０に進む。
【００６３】
ステップＳ１１１０では受信したコマンドのインク僅少通知が「通知する」か「通知しない」かを判定し「通知する」が指定されていればステップＳ１１１１に進み、「通知しない」が指定されていればステップＳ１１１２に進む。
【００６４】
ステップＳ１１１１では図６に示したインク僅少通知フラグをＯＮに設定しステップＳ１１１３に進む。ステップＳ１１１２ではインクなしフラグをＯＦＦに設定しステップＳ１１１３に進む。
【００６５】
ステップＳ１１１３では、受信したコマンドに指定されているメールアドレスを図６のメールアドレスに登録する。
【００６６】
図１２は図１０に示したステップＳ１００５のインクタンク交換通知処理である。
【００６７】
まずステップＳ１２０１で図６のインクタンク交換通知フラグを判定し、ＯＮに設定であればステップＳ１２０２に進み、ＯＦＦであればステップＳ１２０３に進む。ステップＳ１２０２では、メール本文の先頭行に「インクタンクが交換されました。」のメッセージを追記してステップＳ１２０３に進む。
【００６８】
ステップＳ１２０３ではメール本文にプリンタ名の文字列を追加しステップＳ１２０４に進む。ステップＳ１２０４ではプリンタが設置されている場所を示す設置場所をメール本文に追加しステップＳ１２０５に進む。設置場所の情報は、あらかじめプリンタのパネルから設定すると不揮発性のメモリに記憶される。
【００６９】
ステップＳ１２０５では交換されたタンクのインク色がブラックか否かを判定する。ブラックインクタンクが交換されたらステップＳ１２０６に進み、交換されていなければステップＳ１２０７に進む。ステップＳ１２０５ではメール本文にブラックインクタンクが交換された場合のメッセージを追加しステップＳ１２０７に進む。
【００７０】
ステップＳ１２０７では交換されたタンクのインク色がイエローか否かを判定する。イエローインクタンクが交換されたらステップＳ１２０８に進み、交換されていなければステップＳ１２０９に進む。ステップＳ１２０８ではメール本文にイエローインクタンクが交換された場合のメッセージを追加しステップＳ１２０９に進む。
【００７１】
ステップＳ１２０９では交換されたタンクのインク色がシアンか否かを判定する。シアンインクタンクが交換されたらステップＳ１２１０に進み、交換されていなければステップＳ１２１１に進む。ステップＳ１２１０ではメール本文にイシアンインクタンクが交換された場合のメッセージを追加しステップＳ１２１１に進む。
【００７２】
ステップＳ１２１１では交換されたタンクのインク色がマゼンタか否かを判定する。マゼンタインクタンクが交換されたらステップＳ１２１２に進み、交換されていなければステップＳ１２１３に進む。ステップＳ１２１２ではメール本文にマゼンタインクタンクが交換された場合のメッセージを追加しステップＳ１２１３に進む。
【００７３】
ステップＳ１２１３ではインクタンクが交換された日時をメール本文に追加しステップＳ１２１４に進む。ステップＳ１２１４では前回インクタンクが交換された日時情報から現在時間を引いた時間とその時間を日数に換算した値をメール本文に追加しステップＳ１２１５に進む。
【００７４】
ステップＳ１２１５では各色のインクタンクの月平均交換回数を算出し、メール本文に追加し、ステップＳ１２１６に進む。
【００７５】
ステップＳ１２１６では各インクタンクの図６に示すインクタンク交換履歴情報から次回交換予想日を算出してその結果をメール本文に追加しステップＳ１２１７に進む。
【００７６】
ステップＳ１２１７では図７に示した各用紙サイズごとの印刷枚数を取得し、その印刷枚数を各用紙サイズごとに記載した情報をメール本文に追加しステップＳ１２１８に進む。
【００７７】
ステップＳ１２１８では作成した電子メールを図６のメールアドレスに設定されている宛先に送信する。メールアドレスが設定されていない場合には、電子メールの送信は行わない。次にステップＳ１２１９に進みカレントエントリ初期化処理を実行し処理を終了する。
【００７８】
図１３は図１２のステップＳ１２１９のカレントエントリ初期化処理を示したフローチャートである。
【００７９】
まず最初にステップＳ１３０１で図６のカレント番号が最大登録数と等しいか比較し、等しければステップＳ１３０３に進む。等しくなければステップＳ１３０２に進む。ステップＳ１３０２ではカレント番号を１加算しステップＳ１３０４に進む。ステップＳ１３０３ではカレント番号に１をセットすステップＳ１３０４に進む。
【００８０】
ステップＳ１３０４ではカレント番号の示すインク交換情報の交換タンク色と各用紙サイズの印刷枚数を０クリアし処理を終了する。
【００８１】
図１４は図１０のステップＳ１００５のインクなし通知のイベントが発生した場合のインクなし通知処理を示したフローチャートである。
【００８２】
ステップＳ１４０１では図６のインクなし通知フラグがＯＮに設定されている否かを判定する。ＯＮに設定されていればステップＳ１４０２に進みＯＮでなければ処理を終了する。ステップＳ１４０２ではメール本文の先頭行にインクなしを示す文字列「インクが無くなりました」を追加し次の行にインクタンクの色を示す文字列（例“ブラック”）を追加してステップＳ１４０３に進む。ステップＳ１４０３ではメール本文にプリンタ名を追加しステップＳ１４０４に進む。ステップＳ１４０４ではプリンタが設置されている場所をメール本文に追加しステップＳ１４０５に進む。ステップＳ１４０５ではインクが無くなった日時情報をメール本文に追加しステップＳ１４０６に進む。
【００８３】
ステップＳ１４０６では図６に設定されているメールアドレスの示す宛先に対して作成した電子メールを送信し処理を終了する。
【００８４】
図１５は図１０のステップＳ１００６のインク僅少通知のイベントが発生した場合のインク僅少通知処理を示したフローチャートである。
【００８５】
ステップＳ１５０１では図６のインク僅少通知フラグがＯＮに設定されている否かを判定する。ＯＮに設定されていればステップＳ１５０２に進みＯＮでなければ処理を終了する。ステップＳ１５０２ではメール本文の先頭行にインク僅少を示す文字列「インクが少なくなりました。」を追加し次の行にインクタンクの色を示す文字列（例“ブラック”）を追加してステップＳ１５０３に進む。ステップＳ１５０３ではメール本文にプリンタ名を追加しステップＳ１５０４に進む。
【００８６】
ステップＳ１５０４ではプリンタが設置されている場所をメール本文に追加しステップＳ１５０５に進む。ステップＳ１５０５ではインクが無くなった日時情報をメール本文に追加しステップＳ１５０６に進む。ステップＳ１５０６では図６に設定されているメールアドレスの示す宛先に対して作成した電子メールを送信し処理を終了する。
【００８７】
尚、本発明は複数のホストコンピュータから構成されるシステムに適用しても、１つのホストコンピュータから成る装置に適用しても良い。また本実施例ではネットワーク（ＬＡＮ）に接続されたインクジェット記録装置についてのインク交換通知の方法を説明しているが、IEEE1394など複数のホストコンピュータまたは機器が接続できるシステムについても適用しても良い。
【００８８】
【発明の効果】
以上詳細に説明したように、本発明によればインクタンクが交換された際に特定のユーザに対して電子メールで知らせることができ、インクタンクの消費量やインクタンクの交換時期をユーザに知らせることができる。
【図面の簡単な説明】
【図１】本発明の実施の形態に係るインクジェット記録装置が接続されたネットワークシステムの構成を示す構成図である。
【図２】図１におけるインクジェット記録装置１０４の要部の機械的構成を示す斜視図である。
【図３】図１におけるインクジェット記録装置１０４の制御系の構成を示すブロック図である。
【図４】図１におけるホストコンピュータの概略構成を示すブロック構成図である。
【図５】図４のホストコンピュータに表示されるインク状態通知設定の画面構成図である。
【図６】図６はインクジェット記録装置１０４の不揮発性メモリに格納される通知設定コマンドで指定されたデータとインクタンク履歴情報を格納する領域の説明図である。
【図７】図６におけるエントリーデータのフォーマットを示す説明図である。
【図８】インクタンク交換時に作成されるデータのフォーマットを示す説明図である。
【図９】図８のデータから作成される電子メールの本文データを示す図である。
【図１０】インクジェット記録装置１０４の全体動作を示すフローチャートである。
【図１１】図１０のステップＳ１００４で実行されるコマンド受信処理のフローチャートである。
【図１２】図１０のステップＳ１００５で実行されるインクタンク交換通知処理のフローチャートである。
【図１３】図１２のステップＳ１２１９で実行されるカレントエントリ初期化処理のフローチャートである。
【図１４】図１０のステップＳ１００６で実行されるインクなし通知処理のフローチャートである。
【図１５】図１０のステップＳ１００６で実行されるインク僅少通知処理のフローチャートである。
【符号の説明】
１０１  ＬＡＮ
１０２、１０３、１０４  パソコン
１０５、５００  インクジェット記録装置
５１３  キャリッジモータ
５３２  記録ヘッド
５４１  紙送りモータ
３０１  ＭＰＵ
３０２  ＲＯＭ
３０３  ＤＲＡＭ
３０４  ゲートアレイ
【図１】
2004195812.tif 000003
【図２】
2004195812.tif 000004
【図３】
2004195812.tif 000005
【図４】
2004195812.tif 000006
【図５】
2004195812.tif 000007
【図６】
2004195812.tif 000008
【図７】
2004195812.tif 000009
【図８】
2004195812.tif 000010
【図９】
2004195812.tif 000011
【図１０】
2004195812.tif 000012
【図１１】
2004195812.tif 000013
【図１２】
2004195812.tif 000014
【図１３】
2004195812.tif 000015
【図１４】
2004195812.tif 000016
【図１５】
2004195812.tif 000017